(57)【特許請求の範囲】
【請求項１】
遅延管理のためのアクセスポイント（ＡＰ）において、
無線送受信ユニット（ＷＴＲＵ）の遅延管理機能の報告を要求する第１のメッセージを送信するように構成された送信機であって、前記第１のメッセージは、前記ＡＰによってサポートされた遅延パラメータの１つ以上の値を示している、送信機と、
遅延管理機能インジケータを含み、前記ＷＴＲＵによってサポートされた遅延パラメータの１つ以上の値を示す第２のメッセージを受信するよう構成された受信機と
を備え、
前記送信機は、前記第２のメッセージに応答して、遅延パラメータの１つ以上の追加の値を示す第３のメッセージを送信するようにさらに構成されたこと
を特徴とするＡＰ。
【請求項２】
前記受信機は、前記第３のメッセージの送信に応答して、前記遅延パラメータの１つ以上の追加の値の受け入れを示している応答メッセージを受信するようさらに構成されたことを特徴とする請求項１に記載のＡＰ。
【請求項３】
前記第３のメッセージは、最大送信電力、最小送信電力またはダイナミックレンジのうちの少なくとも１つを示すことを特徴とする請求項１に記載のＡＰ。
【請求項４】
前記第３のメッセージは、前記ＷＴＲＵに対する最小遅延しきい値（ＤＴ）／エネルギー検出しきい値（ＥＤＴ）および前記ＷＴＲＵに対する最大ＤＴ／ＥＤＴのうちの少なくとも１つを示すことを特徴とする請求項１に記載のＡＰ。
【請求項５】
前記ＡＰに関連付けられた複数のＷＴＲＵの遅延管理機能を比較し、および、前記複数のＷＴＲＵに対する最適のエネルギー検出しきい値（ＥＤＴ）を決定するよう構成されたプロセッサをさらに備えたことを特徴とする請求項１に記載のＡＰ。
【請求項６】
前記送信機は、前記第３のメッセージを、ユニキャスト信号として送信するようさらに構成されたことを特徴とする請求項１に記載のＡＰ。
【請求項７】
遅延管理のための無線送受信ユニット（ＷＴＲＵ）において、
前記ＷＴＲＵの遅延管理機能の報告を要求する第１のメッセージを受信するように構成された受信機であって、前記第１のメッセージは、アクセスポイント（ＡＰ）によってサポートされた遅延パラメータの１つ以上の値を示している、受信機と、
遅延管理機能インジケータ、および、前記ＷＴＲＵによってサポートされた遅延パラメータの１つ以上の値を示す第２のメッセージを送信するよう構成された送信機と
を備え、
前記受信機は、前記第２のメッセージに応答して、遅延パラメータの１つ以上の追加の値を示す第３のメッセージを受信するようにさらに構成されたことを特徴とするＷＴＲＵ。
【請求項８】
前記送信機は、前記第３のメッセージの受信に応答して、前記遅延パラメータの１つ以上の追加の値の受け入れを示している応答メッセージを送信するようさらに構成されたことを特徴とする請求項７に記載のＷＴＲＵ。
【請求項９】
前記第３のメッセージは、最大送信電力、最小送信電力またはダイナミックレンジのうちの少なくとも１つを示すことを特徴とする請求項７に記載のＷＴＲＵ。
【請求項１０】
前記第３のメッセージは、前記ＷＴＲＵに対する最小遅延しきい値（ＤＴ）／エネルギー検出しきい値（ＥＤＴ）および前記ＷＴＲＵに対する最大ＤＴ／ＥＤＴのうちの少なくとも１つを示すことを特徴とする請求項７に記載のＷＴＲＵ。
【発明の詳細な説明】
【背景技術】
【０００１】
本発明は、無線ローカルエリアネットワーク（ＷＬＡＮ）に関する。具体的には、本発明は、ＷＬＡＮにおける遅延管理方式の実装に関する。  たとえば、これに限定されることはないがＩＥＥＥ８０２  ＷＬＡＮなどのような無線ローカルエリアネットワーク（ＷＬＡＮ）は、複数の無線送受信装置（ＷＴＲＵ）（つまり、移動局（ＳＴＡ））間で無線媒体（ＷＭ）を共有するために、キャリア検知多重アクセス衝突回避（ＣＳＭＡ／ＣＡ；ｃａｒｒｉｅｒ  ｓｅｎｓｅ  ｍｕｌｔｉｐｌｅ  ａｃｃｅｓｓ／ｃｏｌｌｉｓｉｏｎ  ａｖｏｉｄａｎｃｅ）方式を使用する。この方式は、パケットを送信する前にＷＭがアイドル状態またはビジー状態のいずれであるかをＷＴＲＵに強制的に検知させる。これは、クリアチャネルアセスメント（ＣＣＡ；ｃｌｅａｒ  ｃｈａｎｎｅｌ  ａｓｓｅｓｓｍｅｎｔ）機能を使用して実行される。チャネルがビジー状態であることをＷＴＲＵが検知すると（以降、ＷＴＲＵが別の送信を聴取中と称される）、ＷＴＲＵはそのパケットを送信することができず、チャネルの競合を勝ち取ろうと試行する前に、チャネルがアイドル状態になるまで待機する必要がある。これは、遅延と呼ばれる。２つの相互に聴取しあうＷＴＲＵが同時に送信することを防ぐことにより、ＣＳＭＡ／ＣＡ方式はシステムにおける干渉のレベルを制御する。
【０００２】
各無線リンク上で達成されるスループットは干渉の低減と共に増大するので、ＷＬＡＮ内の低レベルの干渉はシステムの容量を間接的に改善する。一方、相互に聴取しあう２つのノードの同一チャネルでの同時送信を防止することに関連付けられたコストは、希少なスペクトルチャネルリソースを再使用することができないため、複数の基地局システム（ＢＳＳ）が同一のチャネルを使用するようなシステムの容量を制約するに至るという点で認識されている。
【発明の概要】
【発明が解決しようとする課題】
【０００３】
ＣＳＭＡ／ＣＡシステムにおいて、第１のＷＴＲＵが第２のＷＴＲＵを遅延させるかどうかの決定は（第２のＷＴＲＵが第１のＷＴＲＵから所定のパス損失で配置される）、次の２つの要因に依存する。すなわち、（１）第１のＷＴＲＵによって使用される送信電力、および（２）第２のＷＴＲＵによって使用される受信／遅延しきい値の２つである。したがって、これらの要因のいずれか１つまたは両方を制御することにより、ＷＬＡＮにおいて遅延のレベル、ひいては容量を制御することが可能である。２つの主要な受信／遅延しきい値は、ＣＳＭＡ／ＣＡにおいて動作するＷＴＲＵのＣＣＡ機能に使用されうる。これらは、（１）パケットの受信が試行される最小受信信号電力を表すエネルギー検出しきい値（ＥＤＴ）と、（２）ＷＴＲＵによるパケットの送信が遅延される最小受信信号電力を表す遅延しきい値（ＤＴ）である。
【０００４】
要約すれば、場合によっては、送信電力を減少させることおよび／または１つのＢＳＳのＷＴＲＵが別のもう１つのＢＳＳのＷＴＲＵを、およびその逆を遅延しないように同一チャネルＢＳＳにおいてＷＴＲＵのＤＴ／ＥＤＴを増大させることが、容量の観点から優れている。しかし、遅延パラメータの調整が、他のＷＴＲＵへのその調整の影響を考慮することなく各ＷＴＲＵで個別に実行された場合、問題が生じることもある。たとえば、ＷＴＲＵがその送信電力を過剰に減少させた場合、同じＢＳＳの他のＷＴＲＵは、このＷＴＲＵからＥＤＴまたはＤＴを超える信号を検出することができなくなり、隠れノードの状況（ｈｉｄｄｅｎ  ｎｏｄｅ  ｓｉｔｕａｔｉｏｎ）が生じて、容量の低下を招くおそれがある。ＢＳＳ全体にわたる隠れノードの現象が発生することもある。最適化が適正に機能するには、遅延パラメータの設定について決定を行うノードにおいて、必要な情報をすべて収集できるようにするためのＷＴＲＵ間の協調・調整が必要となる。このノードは、ＷＴＲＵ自体であっても、あるいはＷＴＲＵが関連付けられているアクセスポイント（ＡＰ）であってもよい。後者のアクセスポイントである場合、ＡＰが関与するＷＴＲＵへ、最適な遅延パラメータの値を伝達できるようにするための協調も必要である。
【課題を解決するための手段】
【０００５】
本発明は、ＡＰおよび複数のＷＴＲＵを含むＷＬＡＮにおいて実施される遅延管理方式に関する。ＡＰは、最大送信電力、最小送信および／またはダイナミックレンジ、最小ＤＴ／ＥＤＴおよび最大ＤＴ／ＥＤＴならびに異なるＣＣＡモードなど、ＷＴＲＵの遅延管理機能を決定するために遅延管理機能要求メッセージをＷＴＲＵへ送信する。これに応じて、各ＷＴＲＵは、遅延管理機能インジケータメッセージをＡＰへ送信する。ＡＰはまた、遅延管理パラメータを設定する値を示すために、遅延管理パラメータ設定メッセージをＷＴＲＵへ送信することもできる。これは、メッセージ宛先ＩＤ、構成時間の制限および送信電力設定を含む。これに応じて、各ＷＴＲＵは、オプションで遅延管理パラメータ設定実行確認メッセージをＡＰへ送信することもできる。また、ＷＴＲＵは、ＡＰによって送信された遅延管理規則メッセージで指定されている特定の規則に従って、さまざまな遅延管理パラメータの値を設定することもできる。オプションで、ＷＴＲＵは、規則の実行の結果生じた遅延管理パラメータの実際の値を含む遅延管理規則実行確認メッセージによってＡＰに応答することができる。
【０００６】
本発明は、これに限定はされないがたとえばＩＥＥＥ８０２ファミリーの標準のようなＣＳＭＡ／ＣＡ方式を使用する無線システムに関する。遅延管理方式は、すべてのＷＴＲＵ間で協調された方法によって実施される。中規模および比較的大規模な無線システムにおいて、遅延管理方式は、システム容量を５００％以上も増大させることができる。本発明が適用される１つの特定の実施例は、ＩＥＥＥ８０２．１１ｖ標準の範囲内にある。
【発明の効果】
【０００７】
以上説明したように、本発明によって、遅延管理ポリシーが提供できる容量の潜在的な増大を究極的にフル活用できるようにする協調された方法で、ＢＳＳのＷＴＲＵがその遅延管理パラメータを設定できるようにする機構を提供することができる。
【図面の簡単な説明】
【０００８】
【図１】本発明によるＡＰが複数のＷＴＲＵによって使用される遅延パラメータを定義する遅延管理シグナリング手順を示す信号流れ図である。
【図２】本発明によるＷＴＲＵ測定中に使用される遅延管理シグナリング手順を示す信号流れ図である。
【図３】本発明による少なくとも１つのＷＴＲＵによって使用される遅延管理規則がＡＰによって定義される遅延管理シグナリング手順を示す信号流れ図である。
【発明を実施するための形態】
【０００９】
本発明は、遅延管理ポリシーが提供できる容量の潜在的な増大を究極的にフル活用できるようにする協調された方法で、ＢＳＳのＷＴＲＵがその遅延管理パラメータを設定できるようにする機構を提供する。
【００１０】
例示として示される添付の図面と併せて理解される以下の説明から、さらに本発明を詳細に理解することができる。
【００１１】
本発明の機能および要素は、好ましい実施形態において特定の組み合わせで説明されるが、各々の機能または要素は、（好ましい実施形態の他の機能および要素を使用せずに）単独で使用されるか、または本発明の他の機能および要素によるさまざまな組み合わせ、あるいは他の機能および要素を使用しないさまざまな組み合わせで使用され得る。
【００１２】
以後、「ＷＴＲＵ」という用語が参照される場合は、ユーザ機器（ＵＥ）、移動局、固定または移動加入者装置、ページャ、または無線環境において動作可能な任意の他の種類の装置を含むが、これらに限定されることはない。また、「ＡＰ」という用語が参照される場合は、基地局、ノードＢ、サイトコントローラ、または無線環境における任意の他の種類のインターフェース装置を含むが、これらに限定されることはない。
【００１３】
本発明は、遅延管理を実施する２つの好ましい実施形態を提供する。第１の実施形態において、ＡＰは、その関連付けられているＷＴＲＵの少なくとも１つに、それらのＷＴＲＵがその遅延管理パラメータを設定すべき値を直接伝達する。第２の実施形態において、ＡＰは、少なくとも１つのその関連付けられているＷＴＲＵに、各自の遅延管理パラメータを計算して設定するための規則を伝達する。
【００１４】
ＷＴＲＵの遅延管理パラメータが個別ベースでＡＰによって制御されるようにする２つの好ましいシグナリング手順がある。第１のシグナリング手順は、ＡＰが、少なくとも１つのＷＴＲＵに、少なくとも１つのＷＴＲＵが使用すべき遅延パラメータを指示できるようにする。第２のシグナリング手順は、ＡＰが、少なくとも１つのＷＴＲＵが使用すべき遅延パラメータの決定に関連する少なくとも１つのＷＴＲＵからの測定値を収集できるようにする。
【００１５】
図１は、ＡＰ１０５および複数のＷＴＲＵ１１０１〜１１０Ｎを含む無線通信システム（たとえばＷＬＡＮ）１００において実施される第１のシグナリング手順を示す流れ図である。ＡＰ１０５は、その遅延管理機能をレポートするために遅延管理機能要求メッセージ１１５を１つのＷＴＲＵまたは複数のＷＴＲＵへ送信する。遅延管理機能要求メッセージ１１５は、ブロードキャスト、マルチキャスト、またはユニキャスト信号として送信され得る。遅延管理機能は、以下のパラメータを含む。
【００１６】
１）ＷＴＲＵの最大送信電力、最小送信電力、および／またはダイナミックレンジ
２）ＷＴＲＵが使用することのできる最小ＤＴ／ＥＤＴおよび最大ＤＴ／ＥＤＴ
３）ＷＴＲＵがサポートするさまざまなＣＣＡ（Ｃｌｅａｒ  Ｃｈａｎｎｅｌ  Ａｓｓｅｓｓｍｅｎｔ）モード
【００１７】
遅延管理機能インジケータメッセージ１２０は、ＡＰ１０５によって送信された遅延管理機能要求メッセージ１１５への応答としてＷＴＲＵ１１０によって送信され得るか、または単独のメッセージとして送信され得る。遅延管理機能インジケータメッセージ１２０は、そのようなアソシエーション要求メッセージ、またはＷＬＡＮ１００のＷＴＲＵ１１０のアドミッションを管理するアソシエーション／アドミッション制御手順にリンクされた別のメッセージに付加され得る。
【００１８】
どの値が遅延管理パラメータに設定されるかを示す遅延管理パラメータ設定メッセージ１２５は、ＡＰ１０５から１つまたは複数のＷＴＲＵ１１０に送信される。遅延管理機能設定メッセージ１２５は、ブロードキャスト、マルチキャスト、またはユニキャスト信号として送信されうるが、好ましくは以下の情報を含む。  
１）メッセージのＷＴＲＵ宛先のＩＤが提供される。好ましくは、ＩＤは媒体アクセス制御（ＭＡＣ）アドレスであるが、任意の他の種類のＷＴＲＵ宛先識別子を使用してもよい。  
２）遅延管理パラメータ設定メッセージに従ってＷＴＲＵの遅延管理パラメータの構成が行われる必要のある時間。あるいは、遅延管理パラメータ設定メッセージ１２５は、構成が行われる必要のある制限時間を示すこともできる。時間情報は、時間オフセットまたは絶対項で表現されてもよい。  
３）ＷＴＲＵが使用する必要のある遅延管理パラメータおよび値。そのようなパラメータの例は以下のとおりである。  
ａ）通常動作における送信電力設定
ｂ）特殊動作における送信電力設定。特殊動作の例は、スキャン動作および測定値収集を含むが、これらに限定されることはない。  
ｃ）通常動作におけるＤＴ／ＥＤＴ設定
ｄ）特殊動作におけるＤＴ／ＥＤＴ設定。特殊動作の例は、スキャン動作および測定値収集を含むが、これらに限定されることはない。  
ｅ）ＣＣＡモード
【００１９】
図１に示されるように、遅延管理パラメータ設定実行確認メッセージ１３０は、所定の遅延管理パラメータ設定メッセージ１２５に示されている構成が実行されたことを確認するためにＷＴＲＵ１１０によってＡＰ１０５へオプションで送信され得る。オプションの遅延管理パラメータ設定実行確認メッセージ１３０は、前述の遅延管理パラメータ設定メッセージに指定されている任意のパラメータを含むこともできる。あるいは遅延管理パラメータ設定実行確認メッセージ１３０を対応する遅延管理パラメータ設定メッセージ１２５に関連付けるトランザクション識別子を参照することもできる。遅延管理パラメータ設定実行確認メッセージ１３０で遅延管理を指定する理由は、ＡＰ１０５が遅延管理パラメータ設定メッセージ１２５に従って設定された実際のパラメータをレポートできるようにするためである。たとえば、ＡＰ１０５がＷＴＲＵ１１０に、その送信電力を０ｄＢｍに設定して、そのＥＤＴを−７５ｄＢｍに設定するよう指示する場合、ＷＴＲＵ１１０がそのＥＤＴを−７５ｄＢｍに下げて、その電力も下げることは可能であるが、１３ｄＢｍよりも低くすることはできなかった。その場合、遅延管理パラメータ設定メッセージ１２５に見い出されるものと同じタイプの情報を提供することによって、ＷＴＲＵ１１０は、達成された構成の実際の設定を示す遅延管理パラメータ設定実行確認メッセージ１３０を送信することができる。
【００２０】
図２は、ＡＰ２０５および複数のＷＴＲＵ２１０１〜２１０Ｎを含む無線通信システム２００において実施される第２のシグナリング手順を示す流れ図である。第２のシグナリング手順は、ＡＰ２０５が、ＷＴＲＵ２１０が使用すべき遅延パラメータの決定に関連する測定値をＷＴＲＵ２１０から収集できるようにする。関連する測定値は以下のものを含むが、これらに限定されることはない。  
１）ＷＴＲＵが他の特定のＷＴＲＵから受信するパケットの信号強度（またはその平均）
２）他の特定のＷＴＲＵから送出される、ＷＴＲＵによって受信されるパケットの数および合計持続時間
【００２１】
このシグナリング手順は、通常動作中に容量を提供するという観点からは最適である遅延管理パラメータが、スキャン期間中など、ＷＴＲＵ２１０が測定を実行する必要があるときに最適とはならない場合もある可能性を補償する。たとえば、所定のＷＴＲＵ２１０が通常動作でそのＤＴ／ＥＤＴを増大させることが望ましい特定の状況において、高いＤＴ／ＥＤＴは、チャネル占有などの特定のメトリックを正確に測定するＷＴＲＵ２１０の能力を損なう可能性もある。そのような障害を防ぐために、ＡＰ２０５は、測定要求の一環として、測定値を収集するときにＷＴＲＵがどの遅延管理パラメータを使用すべきかを示す。
【００２２】
図２に示されるように、どのタイプの測定をＷＴＲＵ２１０が実行すべきか、および要求された測定値を収集するときにどの遅延管理パラメータ（たとえばＤＴ／ＥＤＴ、ＣＣＡモードなど）が使用されるべきかを示す測定要求メッセージ２１５が、ＡＰ２０５によってＷＴＲＵ２１０へ送信される。測定の結果と、レポートされた測定値を収集するためにどの遅延管理パラメータ（たとえばＤＴ／ＥＤＴ、ＣＣＡモードなど）が実際に使用されたかを示す測定レポートメッセージ２２０が、ＷＴＲＵ２１０によってＡＰ２０５へ送信される。メッセージ２１５およびメッセージ２２０は、単独でまたは同時に使用され得る。測定中に使用される遅延管理パラメータは、測定要求メッセージ２１５でＡＰ２０５によって要求されるパラメータとは異なっていてもよい。関連付けらたＷＴＲＵ２１０から収集される測定値を使用して、ＡＰ２０５は、計算を実行し、および各ＷＴＲＵ２１０が使用するための最適な遅延パラメータを決定することができる。たとえば、１つの可能な方法は、所定のＷＴＲＵ２１０のＥＤＴを、このＷＴＲＵ２１０が同じＢＳＳの他のＷＴＲＵから受信するパケットの最小信号強度（マージンを差し引く）に設定することである。
【００２３】
前述のように、システムが、遅延管理によって達成されうる容量の増大を十分に活用するために、すべてのＷＴＲＵにわたって協調された方法で遅延管理が実行される必要性がある。以前においては、ＡＰが値をアクティブに決定して、直接にその関連付けられている各ＷＴＲＵの遅延管理パラメータを設定できるようにするシグナリングメカニズムが提示されていた。この方法により、各ＷＴＲＵの遅延管理パラメータ設定は、中央ロケーション（つまりＡＰ）において計算されるので、確実に首尾一貫したものになる。一方で、この集中化方式は、ＡＰがＷＴＲＵから膨大量の測定値およびシグナリングを収集するという事実に依存している。たとえば、ＷＴＲＵが所定の同一チャネルの特別ＢＳＳ  ＷＴＲＵを遅延させないようにＷＴＲＵが使用すべきＤＴ／ＥＤＴ値をＡＰが決定できるようにするには、ＡＰは、ＷＴＲＵが特別ＢＳＳ  ＷＴＲＵから受信するパケットの信号強度を決定することが必要になる場合もある。
【００２４】
システムで必要とされるシグナリングの量を低減する代替の方式は、各ＷＴＲＵにその遅延管理パラメータの値を決定して設定する責任を負わせるが、値を決定してその遅延管理パラメータを設定するときにＷＴＲＵが従うべきガイドラインまたは規則をＡＰに設定させることである。そのような方式は、ＷＴＲＵとＡＰとの間のシグナリングの一部からシステムを解放し、しかも各ＷＴＲＵによって使用される遅延管理方式の間の一貫性をもたらす。
【００２５】
図３は、ＡＰ３０５および複数のＷＴＲＵ３１０１〜３１０Ｎを含む無線通信システム３００において実施されるシグナリング手順を示す。ＡＰ３０５は、ＷＴＲＵ３１０がその遅延管理パラメータに使用する値の決定に対して従う必要のある特定の規則を指定する少なくとも１つのＷＴＲＵ３１０へ、遅延管理規則メッセージ３１５を送信する。オプションで、ＡＰ３０５によって送信された規則に従って遅延管理パラメータの適切な設定を計算した後、ＷＴＲＵ３１０は、規則の実行の結果生じた遅延管理パラメータの実際の値を含む遅延管理規則実行確認メッセージ３２０によってＡＰ３０５へ応答することができる。この情報は、その後、遅延管理規則メッセージ３１５を他のＷＴＲＵ３１０に送信するときに、ＡＰ３０５によって使用され得る。
【００２６】
ＡＰ３０５によってＷＴＲＵ３１０に伝達される必要のある情報は、ＡＰ３０５が実施しようとする規則にある程度依存する。以下に示すのは、使用され得る一般的ではあるが新規な規則、およびＷＴＲＵ３１０が規則を実施できるようにするためにＡＰ３０５が通常提供する必要のある入力パラメータの例である。
【００２７】
第１の規則は、ＷＴＲＵ３１０によってどのＷＴＲＵが遅延されるかを指定する。この規則は、ＷＴＲＵの特定のセットを聴取できるように最大可能値にそのＤＴ／ＥＤＴを設定すべきであることをＷＴＲＵ３１０に指示する。１つの実施形態において、ＡＰ３０５は、ＢＳＳ内のすべてのＷＴＲＵとなるようにＷＴＲＵのセットを選択してもよい。そうすることで、ＷＴＲＵ３１０がそのＤＴ／ＥＤＴパラメータを可能な限り高く設定し、しかも引き続きそのＢＳＳ内のすべてのＷＴＲＵを聴取できるようにする。
【００２８】
好ましい実施形態において、ＷＴＲＵ３１０が従う必要のある規則、およびＷＴＲＵ３１０が遅延させる必要のあるＷＴＲＵのリストは単一のメッセージに含まれ得るが、他の実施形態においては２つの別個のメッセージによって伝達されてもよい。メッセージはまた、パラメータの値を決定するときにＷＴＲＵ３１０が使用すべきマージンＭを指定することもできる。たとえば、ＷＴＲＵ３１０が、そのすべての近傍を聴取する最大値が−８５ｄＢｍのＤＴ／ＥＤＴであると決定する場合、３ｄＢのマージンは、ＷＴＲＵ３１０がそのＤＴ／ＥＤＴパラメータを−８５ｄＢｍ−マージン＝−８８ｄＢｍに設定する必要があることを意味する。
【００２９】
この規則は、以下の式によって要約することができる。  
ＤＴ／ＥＤＴＷＴＲＵ＝ｍｉｎ＿ｆｕｎｃｔｉｏｎ（ｍａｘＤＴ／ＥＤＴ１、ｍａｘＤＴ／ＥＤＴ２、．．．ｍａｘＤＴ／ＥＤＴＮ）  −  Ｍ      式（１）
ここでｍａｘＤＴ／ＥＤＴｎは、ＷＴＲＵｎを聴取するために必要な最大ＤＴ／ＥＤＴであり、ｎはＷＴＲＵ識別子を表し、Ｍはマージンを表し、これらの値はすべてＡＰ３０５によって提供される。
【００３０】
もう１つの好ましい規則は、聴取される必要のあるＷＴＲＵの設定をＷＴＲＵ３１０に指定する。この規則は、ＷＴＲＵの特定の設定によって聴取されるようにする最小可能値にその送信電力を設定すべきであることをＷＴＲＵ３１０に指示する。
【００３１】
１つの実施形態において、ＡＰ３０５は、ＢＳＳ内のすべてのＷＴＲＵを含むようにＷＴＲＵの設定を選択する。それは、ＷＴＲＵ３１０がその送信電力を、そのＢＳＳ内のすべてのＷＴＲＵによって聴取されるように最小可能値に設定することを意味する。
【００３２】
好ましい実施形態において、ＷＴＲＵ３１０が従う必要のある規則、およびＷＴＲＵ３１０が聴取されるようにする必要のあるＷＴＲＵのリストは単一のメッセージに含まれるが、他の実施形態においては２つの別個のメッセージで伝達されてもよい。メッセージはまた、ＷＴＲＵ３１０を聴取する必要のある各ＷＴＲＵによって使用されるＤＴ／ＥＤＴ値を指定することもできる。メッセージはまた、送信電力パラメータの値を決定するときにＷＴＲＵ３１０が使用すべきマージンを含むこともできる。たとえば、ＷＴＲＵ３１０が、８ｄＢｍの電力がＡＰ３０５から提供されたリストに指定されたすべてのＷＴＲＵによって聴取されると決定する場合、３ｄＢのマージンは、ＷＴＲＵ３１０がその送信電力を８ｄＢｍ＋マージン＝１１ｄＢｍに設定することを意味する。メッセージはまた、その送信電力を低減しながら、ＷＴＲＵ３１０が範囲を超えてはならない最小伝送速度を指定することもできる。
【００３３】
この規則は、以下の式によって要約することができる。
Ｔｘ＿ＰｏｗｅｒＷＴＲＵ＝ｍａｘ＿ｆｕｎｃｔｉｏｎ（ｍｉｎ＿ｆｕｎｃｔｉｏｎ（ｍｉｎＴｘ＿Ｐｏｗｅｒ１、ｍｉｎＴｘ＿Ｐｏｗｅｒ２、．．．ｍｉｎＴｘ＿ＰｏｗｅｒＮ）＋Ｍ）、ｍｉｎＴｘ＿ＰｏｗｅｒＲＡＴＥ）      式（２）
ここで、ｍｉｎＴｘ＿Ｐｏｗｅｒｉ＝ＷＴＲＵｉのＤＴ／ＥＤＴ値＋ＷＴＲＵｉとＷＴＲＵ間のパス損失、ｍｉｎＴｘ＿ＰｏｗｅｒＲＡＴＥは望ましい伝送速度を達成するための最小送信電力であり、ｍｉｎＴｘ＿ＰｏｗｅｒｎはｎをＷＴＲＵ識別子としてＷＴＲＵｎによって聴取される必要のある最小送信電力である。
【００３４】
実施形態
１．アクセスポイント（ＡＰ）および複数の無線送受信装置（ＷＴＲＵ）を含む無線ローカルエリアネットワーク（ＷＬＡＮ）において実施される遅延管理の方法であって、
（ａ）ＡＰが、ＡＰの遅延管理機能をレポートするために遅延管理機能要求メッセージをＷＴＲＵの少なくとも１つへ送信するステップと、
（ｂ）前記ＷＴＲＵの少なくとも１つの各々が、前記遅延管理機能要求に応答して遅延管理機能インジケータメッセージを前記ＡＰへ送信するステップとを備えることを特徴とする方法。
【００３５】
２．（ｃ）ＡＰが、遅延管理パラメータ設定メッセージをＷＴＲＵの少なくとも１つに送信して遅延管理パラメータを設定する値を示すステップと、
（ｄ）前記ＷＴＲＵの少なくとも１つの各々が、前記遅延管理パラメータ設定メッセージに応答して遅延管理パラメータ設定実行確認メッセージを前記ＡＰへ送信するステップとをさらに備えることを特徴とする実施形態１に記載の方法。
【００３６】
３．遅延管理機能要求メッセージは、ブロードキャスト信号として送信されることを特徴とする実施形態１に記載の方法。
【００３７】
４．遅延管理機能要求メッセージは、マルチキャスト信号として送信されることを特徴とする実施形態１に記載の方法。
【００３８】
５．遅延管理機能要求メッセージは、ユニキャスト信号として送信されることを特徴とする実施形態１に記載の方法。
【００３９】
６．遅延管理機能インジケータメッセージによって示される遅延管理機能は、ＷＴＲＵの最大送信電力、ＷＴＲＵの最小送信電力およびＷＴＲＵのダイナミックレンジのうちの少なくとも１つを含むことを特徴とする実施形態１に記載の方法。
【００４０】
７．遅延管理機能インジケータメッセージによって示される遅延管理機能は、ＷＴＲＵが使用することのできる最小遅延しきい値（ＤＴ）／エネルギー検出しきい値（ＥＤＴ）および最大遅延しきい値（ＤＴ）／エネルギー検出しきい値（ＥＤＴ）のうちの少なくとも１つを含むことを特徴とする実施形態１に記載の方法。
【００４１】
８．遅延管理機能インジケータメッセージによって示される遅延管理機能は、ＷＴＲＵがサポートする異なるクリアチャネルアセスメント（ＣＣＡ）モードを含むことを特徴とする実施形態１に記載の方法。
【００４２】
９．遅延管理パラメータ設定メッセージは、ブロードキャスト信号として送信されることを特徴とする実施形態２に記載の方法。
【００４３】
１０．遅延管理パラメータ設定メッセージは、マルチキャスト信号として送信されることを特徴とする実施形態２に記載の方法。
【００４４】
１１．遅延管理パラメータ設定メッセージは、ユニキャスト信号として送信されることを特徴とする実施形態２に記載の方法。
【００４５】
１２．遅延管理パラメータ設定メッセージは、遅延管理パラメータ設定メッセージの宛先となるＷＴＲＵの媒体アクセス制御（ＭＡＣ）アドレスを含むことを特徴とする実施形態２に記載の方法。
【００４６】
１３．遅延管理パラメータ設定メッセージは、遅延管理パラメータが構成される必要があるときを示す時間情報を含むことを特徴とする実施形態２に記載の方法。
【００４７】
１４．遅延管理パラメータ設定メッセージは、送信電力設定を含むパラメータを含むことを特徴とする実施形態２に記載の方法。
【００４８】
１５．遅延管理パラメータ設定メッセージは、遅延しきい値（ＤＴ）／エネルギー検出しきい値（ＥＤＴ）設定を含むパラメータを含むことを特徴とする実施形態２に記載の方法。
【００４９】
１６．遅延管理パラメータ設定メッセージは、少なくとも１つのクリアチャネルアセスメント（ＣＣＡ）モードパラメータを含むことを特徴とする実施形態２に記載の方法。
【００５０】
１７．アクセスポイント（ＡＰ）および複数の無線送受信装置（ＷＴＲＵ）を含む無線ローカルエリアネットワーク（ＷＬＡＮ）において実施される遅延管理の方法であって、
（ａ）ＡＰが、どのタイプの測定をＷＴＲＵが実行すべきであるか、要求された測定値を収集するときにどの遅延管理パラメータが使用されるべきであるかを示す測定要求メッセージをＷＴＲＵの少なくとも１つへ送信するステップと、
（ｂ）ＷＴＲＵの少なくとも１つの各々が、測定の結果および測定値を収集するためにどの遅延管理パラメータが実際に使用されたかを示す測定レポートメッセージをＡＰに送信するステップとを備えることを特徴とする方法。
【００５１】
１８．アクセスポイント（ＡＰ）および複数の無線送受信装置（ＷＴＲＵ）を含む無線ローカルエリアネットワーク（ＷＬＡＮ）において実施される遅延管理の方法であって、
ＡＰが、遅延管理パラメータの値を決定するためにＷＴＲＵの少なくとも１つが従う必要のある特定の規則を指定する遅延管理規則メッセージをＷＴＲＵの少なくとも１つへ送信するステップであって、特定の規則は、ＷＴＲＵの少なくとも１つがＷＴＲＵのうちの選択された１つを聴取できるように遅延しきい値（ＤＴ）／エネルギー検出しきい値（ＥＤＴ）パラメータ設定を最大可能値に調整することによって、どのＷＴＲＵがＷＴＲＵの少なくとも１つによって遅延されるべきかを指定するステップを備えることを特徴とする方法。
【００５２】
１９．ＷＴＲＵの選択された１つは、すべて同一の基地局システム（ＢＳＳ）内に位置することを特徴とする実施形態１８に記載の方法。
【００５３】
２０．アクセスポイント（ＡＰ）および複数の無線送受信装置（ＷＴＲＵ）を含む無線ローカルエリアネットワーク（ＷＬＡＮ）において実施される遅延管理の方法であって、
ＡＰが、遅延管理パラメータの値を決定するためにＷＴＲＵの少なくとも１つが従う必要のある特定の規則を指定する遅延管理規則メッセージをＷＴＲＵの少なくとも１つへ送信するステップであって、特定の規則は、ＷＴＲＵの少なくとも１つがＷＴＲＵのうちの選択された１つを聴取できるように、最大可能値から特定の規則によって指定されたマージンＭを差し引いた値に遅延しきい値（ＤＴ）／エネルギー検出しきい値（ＥＤＴ）パラメータ設定を調整することによって、どのＷＴＲＵがＷＴＲＵの少なくとも１つによって遅延されるべきかを指定するステップを備えることを特徴とする方法。
【００５４】
２１．マージンＭは３ｄＢであり、ＤＴ／ＥＤＴパラメータの最大可能値は−８５ｄＢｍであり、その結果ＤＴ／ＥＤＴパラメータの値を−８８ｄＢｍに設定することを特徴とする実施形態２０に記載の方法。
【００５５】
２２．少なくとも１つのＷＴＲＵが、特定の規則に従って遅延管理パラメータの適切な値を計算するステップと、
少なくとも１つのＷＴＲＵが、特定の規則の実行の結果生じた遅延管理パラメータの実際の値を含む遅延管理規則実行確認メッセージをＡＰへ送信するステップとをさらに備えることを特徴とする実施形態２０に記載の方法。
【００５６】
２３．アクセスポイント（ＡＰ）および複数の無線送受信装置（ＷＴＲＵ）を含む無線ローカルエリアネットワーク（ＷＬＡＮ）において実施される遅延管理の方法であって、
ＡＰが、遅延管理パラメータの値を決定するために、ＷＴＲＵの少なくとも１つが従う必要のある特定の規則を指定する遅延管理規則メッセージをＷＴＲＵの少なくとも１つへ送信するステップであって、特定の規則は、ＷＴＲＵの少なくとも１つがＷＴＲＵのうちの選択された１つによって聴取されるように、送信電力を最小可能値に設定することによって、どのＷＴＲＵがＷＴＲＵの少なくとも１つによって遅延されるべきかを指定するステップを備えることを特徴とする方法。
【００５７】
２４．遅延管理規則メッセージは、送信電力の値を決定するときにＷＴＲＵの少なくとも１つが使用すべきマージンＭを含むことを特徴とする実施形態２３に記載の方法。
【００５８】
２５．マージンは３ｄＢであり、最小送信電力は８ｄＢｍであり、その結果送信電力の値を１１ｄＢｍに設定することを特徴とする実施形態２４に記載の方法。
【００５９】
２６．遅延管理規則メッセージは、送信電力を設定するときにＷＴＲＵの少なくとも１つが超えてはならない最小伝送速度を指定することを特徴とする実施形態２３に記載の方法。
【００６０】
２７．少なくとも１つのＷＴＲＵが、特定の規則に従って遅延管理パラメータの適切な値を計算するステップと、
少なくとも１つのＷＴＲＵが、特定の規則の実行の結果生じた遅延管理パラメータの実際の値を含む遅延管理規則実行確認メッセージをＡＰへ送信するステップとをさらに備えることを特徴とする実施形態２３に記載の方法。
【００６１】
２８．アクセスポイント（ＡＰ）と、
複数の無線送受信装置（ＷＴＲＵ）であって、ＡＰがその遅延管理機能をレポートするために遅延管理機能要求メッセージをＷＴＲＵの少なくとも１つへ送信し、ＷＴＲＵの少なくとも１つの各々が、遅延管理機能要求に応答して遅延管理機能インジケータメッセージをＡＰに送信するＷＴＲＵとを備えることを特徴とする無線ローカルエリアネットワーク（ＷＬＡＮ）。
【００６２】
２９．ＡＰは遅延管理パラメータを設定する値を示すために遅延管理パラメータ設定メッセージをＷＴＲＵの少なくとも１つへ送信し、ＷＴＲＵの少なくとも１つの各々は遅延管理パラメータ設定メッセージに応答して遅延管理パラメータ設定実行確認メッセージをＡＰに送信することを特徴とする実施形態２８に記載のＷＬＡＮ。
【００６３】
３０．遅延管理機能要求メッセージは、ブロードキャスト信号として送信されることを特徴とする実施形態２８に記載のＷＬＡＮ。
【００６４】
３１．遅延管理機能要求メッセージは、マルチキャスト信号として送信されることを特徴とする実施形態２８に記載のＷＬＡＮ。
【００６５】
３２．遅延管理機能要求メッセージは、ユニキャスト信号として送信されることを特徴とする実施形態２８に記載のＷＬＡＮ。
【００６６】
３３．遅延管理機能インジケータメッセージによって示される遅延管理機能は、ＷＴＲＵの最大送信電力、ＷＴＲＵの最小送信電力およびＷＴＲＵのダイナミックレンジのうちの少なくとも１つを含むことを特徴とする実施形態２８に記載のＷＬＡＮ。
【００６７】
３４．遅延管理機能インジケータメッセージによって示される遅延管理機能は、ＷＴＲＵが使用できる最小遅延しきい値（ＤＴ）／エネルギー検出しきい値（ＥＤＴ）および最大遅延しきい値（ＤＴ）／エネルギー検出しきい値（ＥＤＴ）のうちの少なくとも１つを含むことを特徴とする実施形態２８に記載のＷＬＡＮ。
【００６８】
３５．遅延管理機能インジケータメッセージによって示される遅延管理機能は、ＷＴＲＵがサポートするさまざまなクリアチャネルアセスメント（ＣＣＡ）モードを含むことを特徴とする実施形態２８に記載のＷＬＡＮ。
【００６９】
３６．遅延管理パラメータ設定メッセージは、ブロードキャスト信号として送信されることを特徴とする実施形態２９に記載のＷＬＡＮ。
【００７０】
３７．遅延管理パラメータ設定メッセージは、マルチキャスト信号として送信されることを特徴とする実施形態２９に記載のＷＬＡＮ。
【００７１】
３８．遅延管理パラメータ設定メッセージは、ユニキャスト信号として送信されることを特徴とする実施形態２９に記載のＷＬＡＮ。
【００７２】
３９．遅延管理パラメータ設定メッセージは、遅延管理パラメータ設定メッセージの宛先となるＷＴＲＵの媒体アクセス制御（ＭＡＣ）アドレスを含むことを特徴とする実施形態２９に記載のＷＬＡＮ。
【００７３】
４０．遅延管理パラメータ設定メッセージは、遅延管理パラメータが構成される必要があるときを示す時間情報を含むことを特徴とする実施形態２９に記載のＷＬＡＮ。
【００７４】
４１．遅延管理パラメータ設定メッセージは、送信電力設定を含むパラメータを含むことを特徴とする実施形態２９に記載のＷＬＡＮ。
【００７５】
４２．遅延管理パラメータ設定メッセージは、遅延しきい値（ＤＴ）／エネルギー検出しきい値（ＥＤＴ）設定を含むパラメータを含むことを特徴とする実施形態２９に記載のＷＬＡＮ。
【００７６】
４３．遅延管理パラメータ設定メッセージは、少なくとも１つのクリアチャネルアセスメント（ＣＣＡ）モードパラメータを含むことを特徴とする実施形態２９に記載のＷＬＡＮ。
【００７７】
４４．アクセスポイント（ＡＰ）と、
複数の無線送受信装置（ＷＴＲＵ）であって、ＡＰはどのタイプの測定をＷＴＲＵが実行すべきかならびに要求された測定値を収集するときにどの遅延管理パラメータが使用されるべきかを示す測定要求メッセージをＷＴＲＵの少なくとも１つに送信し、さらに、ＷＴＲＵの少なくとも１つの各々が、測定の結果ならびに測定値を収集するためにどの遅延管理パラメータが実際に使用されたかを示す測定レポートメッセージをＡＰへ送信するＷＴＲＵとを備えることを特徴とする無線ローカルエリアネットワーク（ＷＬＡＮ）。
【００７８】
４５．アクセスポイント（ＡＰ）と、
複数の無線送受信装置（ＷＴＲＵ）であって、ＡＰは遅延管理パラメータの値を決定するために、ＷＴＲＵの少なくとも１つが従う必要のある特定の規則を指定する遅延管理規則メッセージをＷＴＲＵの少なくとも１つへ送信し、特定の規則はＷＴＲＵの少なくとも１つがＷＴＲＵのうちの選択された１つを聴取できるように遅延しきい値（ＤＴ）／エネルギー検出しきい値（ＥＤＴ）パラメータ設定を最大可能値に調整することによって、どのＷＴＲＵがＷＴＲＵの少なくとも１つによって遅延されるべきかを指定するＷＴＲＵとを備えることを特徴とする無線ローカルエリアネットワーク（ＷＬＡＮ）。
【００７９】
４６．ＷＴＲＵの選択された１つは、すべて同一の基地局システム（ＢＳＳ）内に位置することを特徴とする実施形態４５に記載のＷＬＡＮ。
【００８０】
４７．少なくとも１つのＷＴＲＵは、特定の規則に従って遅延管理パラメータの適切な設定を計算し、少なくとも１つのＷＴＲＵは特定の規則の実行の結果生じた遅延管理パラメータの実際の値を含む遅延管理規則実行確認メッセージをＡＰに送信することを特徴とする実施形態４５に記載のＷＬＡＮ。
【００８１】
４８．アクセスポイント（ＡＰ）と、
複数の無線送受信装置（ＷＴＲＵ）であって、ＡＰは遅延管理パラメータの値を決定するために、ＷＴＲＵの少なくとも１つが従う必要のある特定の規則を指定する遅延管理規則メッセージをＷＴＲＵの少なくとも１つへ送信し、特定の規則はＷＴＲＵの少なくとも１つがＷＴＲＵのうちの選択された１つを聴取できるように、最大可能値から特定の規則によって指定されたマージンＭを差し引いた値に遅延しきい値（ＤＴ）／エネルギー検出しきい値（ＥＤＴ）パラメータ設定を調整することによって、どのＷＴＲＵがＷＴＲＵの少なくとも１つによって遅延されるべきかを指定するＷＴＲＵとを備えることを特徴とする無線ローカルエリアネットワーク（ＷＬＡＮ）。
【００８２】
４９．マージンＭは３ｄＢであり、ＤＴ／ＥＤＴパラメータの最大可能値は−８５ｄＢｍであり、その結果ＤＴ／ＥＤＴパラメータの値を−８８ｄＢｍに設定することを特徴とする実施形態４８に記載のＷＬＡＮ。
【００８３】
５０．少なくとも１つのＷＴＲＵは、特定の規則に従って遅延管理パラメータの適切な値を計算し、少なくとも１つのＷＴＲＵは特定の規則の実行の結果生じた遅延管理パラメータの実際の値を含む遅延管理規則実行確認メッセージをＡＰに送信することを特徴とする実施形態４８に記載のＷＬＡＮ。
【００８４】
５１．アクセスポイント（ＡＰ）と、
複数の無線送受信装置（ＷＴＲＵ）であって、ＡＰは遅延管理パラメータの値を決定するために、ＷＴＲＵの少なくとも１つが従う必要のある特定の規則を指定する遅延管理規則メッセージをＷＴＲＵの少なくとも１つへ送信し、特定の規則はＷＴＲＵの少なくとも１つがＷＴＲＵのうちの選択された１つによって聴取されるように送信電力を、最小可能値に設定することによって、どのＷＴＲＵがＷＴＲＵの少なくとも１つによって遅延されるべきかを指定するＷＴＲＵとを備えることを特徴とする無線ローカルエリアネットワーク（ＷＬＡＮ）。
【００８５】
５２．遅延管理規則メッセージは、送信電力の値を決定するときにＷＴＲＵの少なくとも１つが使用すべきマージンＭを含むことを特徴とする実施形態５１に記載のＷＬＡＮ。
【００８６】
５３．マージンは３ｄＢであり、最小送信電力は８ｄＢｍであり、その結果送信電力の値を１１ｄＢｍに設定することを特徴とする実施形態５２に記載のＷＬＡＮ。
【００８７】
５４．遅延管理規則メッセージは、送信電力を設定するときにＷＴＲＵの少なくとも１つが超えてはならない最小伝送速度を指定することを特徴とする実施形態５１に記載のＷＬＡＮ。
【００８８】
５５．少なくとも１つのＷＴＲＵは、特定の規則に従って遅延管理パラメータの適切な値を計算し、少なくとも１つのＷＴＲＵは特定の規則の実行の結果生じた遅延管理パラメータの実際の値を含む遅延管理規則実行確認メッセージをＡＰに送信することを特徴とする実施形態５１に記載のＷＬＡＮ。
【００８９】
本発明の機能および要素は、好ましい実施形態において特定の組み合わせで説明された。しかしながら、各々の機能または要素は、単独で使用されまたは本発明の他の機能および要素によるさまざまな組み合わせ、さらには他の機能および要素を使用しないさまざまな組み合わせによって利用され得る。
【産業上の利用可能性】
【００９０】
本発明は、一般的に無線通信システムに利用することができる。特に、無線ローカルエリアネットワーク（ＷＬＡＮ）に関する。
【符号の説明】
【００９１】
１０５、２０５、３０５  ＡＰ
１１０、２１０、３１０  ＷＴＲＵ
【図１】
0005571731.tif 000002
【図２】
0005571731.tif 000003
【図３】
0005571731.tif 000004